(57)【要約】【課題】緑化による屋内装飾のディスプレイ効果を高める。【解決手段】通水孔６４、６６、６８が設けられた複数の植栽容器３８と、貯水とともに植栽容器３８を内側に入れた状態で支えることができる複数の貯水容器３６と、複数の貯水容器３６を上下に所定の間隔をおいて整列させる複数の支持パネル３４を備えた緑化ディスプレイ装置１０を提供する。貯水容器３６の底壁４８には、貯水容器３６内の貯水水位を一定に維持するための排水孔５８が設けられており、上段の貯水容器３６に設けられた排水孔５８から排出された水が下段の貯水容器３６に供給される。上段の貯水容器３６から下段の貯水容器３６に供給される水の流れと水音という動的なものと、動きと音のない静的な植物のコントラストがディスプレイ効果を高めている。【選択図】図２
2012039969.tif 000002
【特許請求の範囲】
【請求項１】
通水孔が設けられた複数の植栽容器と、貯水とともに前記植栽容器を内側に入れた状態で支えることができる複数の貯水容器と、前記複数の貯水容器を上下に所定の間隔をおいて整列させる複数の支持パネルを備え、
前記貯水容器内の貯水水位を一定に維持するための排水孔が前記貯水容器に設けられ、上段の前記貯水容器に設けられた前記排水孔から排出された水が下段の前記貯水容器に供給される、緑化ディスプレイ装置。
【請求項２】
前記貯水容器が、前傾する前壁と、前記前壁と直角をなす底壁と、前記支持パネルの表面に取り付けられる後壁を備え、前記植栽容器が前記前壁と前記底壁によって前傾した姿勢で支えられた、請求項１に記載の緑化ディスプレイ装置。
【請求項３】
前記底壁の幅方向において連続的に設けられた前記排水孔と連続する空間を有し、前記排水孔から排出された水を前記空間内を通して下方に導く導水パネルを備えた、請求項２に記載の緑化ディスプレイ装置。
【請求項４】
前記導水パネルによって下方に導かれた水が前記貯水容器の後壁と前記植栽容器との間から前記貯水容器に供給される、請求項３に記載の緑化ディスプレイ装置。
【請求項５】
前記植栽容器、前記貯水容器および前記支持パネルに透光性素材を用いるとともに、前記支持パネルの裏面側に発光パネルを配した、請求項１乃至４の何れかに記載の緑化ディスプレイ装置。
【請求項６】
前記導水パネルに透光性素材を用いた、請求項５に記載の緑化ディスプレイ装置。
【請求項７】
上下に整列された前記複数の貯水容器の下方から前記複数の植栽容器に植栽された複数の植物に送風する送風機を備えた、請求項１乃至６の何れかに記載の緑化ディスプレイ装置。
【発明の詳細な説明】
【技術分野】
【０００１】
本発明は、屋内装飾に用いられる緑化ディスプレイ装置に関する。
【背景技術】
【０００２】
植物には、空気を清浄化するという科学的な作用に加え、見る人の心に安らぎや癒しを与えるという心理的な面での作用が認められている。そのため居住空間や集客空間など人が集まるところには植物が置かれることが多い。そのような植物の代表的なものとして古くから観葉植物が知られている。観葉植物は比較的環境に左右されない品種のものが多く、手入れが楽であり、また見た目にも自然な植生を感じることができるため、今日に至るまで広く用いられている。最近では、より人工的な緑化手法として、ユニット化された緑化パネルなどを用いて、例えば壁面などに平面状に緑化を施すといった手法も用いられるようになってきている（例えば特許文献１参照）。
【先行技術文献】
【特許文献】
【０００３】
【特許文献１】特開２００８−２８３９６２号公報
【発明の概要】
【発明が解決しようとする課題】
【０００４】
植物の生育には二酸化炭素と水と光エネルギが必要であり、二酸化炭素は屋内の空気中から取り入れることができ、光エネルギは窓から射し込む太陽光や室内灯などから取り入れることができる。これらは何れも植物が自律的に摂取することができるものである。しかし降雨がない屋内では水だけは人為的に与える必要がある。緑化パネルを用いた緑化装置において、これまでにも給水を自動化したものはあるが、その多くは給水管を人目につかないように隠すか、もしくは逆にむき出しにされたままであり、給水そのものを積極的に見せるような演出はなされていない。
本発明は、屋内装飾に用いられる緑化ディスプレイ装置において、給水行為を効果的に見せることによってディスプレイ効果を高めることを目的とする。
【課題を解決するための手段】
【０００５】
本発明は、通水孔が設けられた複数の植栽容器と、貯水とともに前記植栽容器を内側に入れた状態で支えることができる複数の貯水容器と、前記複数の貯水容器を上下に所定の間隔をおいて整列させる複数の支持パネルを備え、前記貯水容器内の貯水水位を一定に維持するための排水孔が前記貯水容器に設けられ、上段の前記貯水容器に設けられた前記排水孔から排出された水が下段の前記貯水容器に供給される、緑化ディスプレイ装置を提供する。
【０００６】
この緑化ディスプレイ装置では、上段の貯水容器から排出された水が下段の貯水容器の中に落下することにより植物への給水が行われる。各貯水容器には一定量の水が貯留され、植栽容器の通水孔を通じて植栽容器内に植栽された植物に摂取される。最上段の貯水容器に給水すれば、それより下の各貯水容器には上段から下段に順に自動的に給水が行われる。最下段の貯水容器から排出された水をろ過装置等を用いて浄化させた後にポンプ等で最上段の貯水容器に揚水すれば、外部からの補給を必要としない給水サイクルを構築することができ、水源のない場所での使用にも好適である。
【０００７】
この緑化ディスプレイ装置は、植物と給水行為という静的なものと動的なものの対比を演出するものである。上段の貯水容器から下段の貯水容器へと供給される水の流れおよび水音という動的なものと、動きと音のない静的な植物のコントラストがディスプレイ効果を高め、見る者の注意を引くとともに長時間見ても飽きさせないようにしている。
【０００８】
本発明が提供する緑化ディスプレイ装置は、前記貯水容器が、前傾する前壁と、前記前壁と直角をなす底壁と、前記支持パネルの表面に取り付けられる後壁を備え、前記植栽容器が前記前壁と前記底壁によって前傾した姿勢で支えられるように構成することができる。
【０００９】
この緑化ディスプレイ装置では、前傾した植栽容器内の植物が奥行き方向にもよく見えるようになり、陰影が深まるとともに立体感が増し、植物がより美しく見える。
【００１０】
本発明が提供する緑化ディスプレイ装置は、前記底壁の幅方向において連続的に設けられた前記排水孔と連続する空間を有し、前記排水孔から排出された水を前記空間内を通して下方に導く導水パネルを備えたものとして構成することができる。
【００１１】
この緑化ディスプレイ装置では、排水孔から落下する水の流れに幅方向の広がりを持たせることができ、さらには導水パネルによって水の流れを制御することができるようになり、給水行為をより美しく見せることができる。
【００１２】
本発明が提供する緑化ディスプレイ装置は、前記導水パネルによって下方に導かれた水が前記貯水容器の後壁と前記植栽容器との間から前記貯水容器に供給されるように構成することができる。
【００１３】
この緑化ディスプレイ装置は、給水時に水が植物に直接かからないようにされているため、水に触れると痛んだり病気になったりする品種の植物に対して特に好適である。
【００１４】
本発明が提供する緑化ディスプレイ装置は、前記植栽容器、前記貯水容器および前記支持パネルに透光性素材を用いるとともに、前記支持パネルの裏面側に発光パネルを配したものとして構成することができる。
【００１５】
この緑化ディスプレイ装置では、発光パネルによる面発光によってディスプレイ効果が高まるとともに、至近距離から供給される光エネルギが植物の光合成を促進させ、生長を助成するとともに発色性を向上させることができるようになる。発光パネルの光源としては、白熱灯、放電灯、ＬＥＤ、ＥＬなどを用いることができる。
【００１６】
本発明が提供する緑化ディスプレイ装置は、上下に整列された前記複数の貯水容器の下方から前記複数の植栽容器に植栽された複数の植物に送風する送風機を備えたものとして構成することができる。
【００１７】
この緑化ディスプレイ装置では、植物に上下左右にランダムに揺れる動きを与えることができる。
【発明の効果】
【００１８】
本発明によれば、植物と給水行為という静的なものと動的なものの対比を演出することにより、動きがなく無音な植物のディスプレイに変化と彩を与え、屋内装飾のディスプレイ効果を高めることができる。
【図面の簡単な説明】
【００１９】
【図１】緑化ディスプレイ装置の側面図
【図２】緑化ディスプレイ装置の一部を拡大した側面図
【発明を実施するための形態】
【００２０】
以下、本発明の実施の形態の緑化ディスプレイ装置について説明する。
図１に緑化ディスプレイ装置１０の構造を示す。支柱１２は、上端１４と下端１６をそれぞれ屋内の天井と床に固定もしくは押しつけた状態で直立している。支柱１２の側方には、下から上に向かって順に送風機１８、給水タンク２０、緑化パネル２２、発光パネル２４、流水タンク２６が配されており、倒れないように支柱１２によって支えられている。緑化パネル２２から落下した水は給水タンク２０に一時貯留され、図示しない水路を経由して流水タンク２６に揚水される。緑化パネル２２に植栽された植物３０は、送風機１８から上に向けて送られる風によって揺れるようになっている。
【００２１】
緑化パネル２２と発光パネル２４は、それぞれ上下に４つずつ並べられ、それぞれに一枚のパネル壁をなしている。緑化パネル２２と発光パネル２４は、支柱１２に対して平行になるように互いに近接して配されており、支柱１２に近い側に発光パネル２４が配されている。支柱１２には水平方向に延びる５本のガイド３２ａ、３２ｂ・・・３２ｅが上下方向に等間隔で設けられており、各緑化パネル２２と発光パネル２４はガイド３２ａ、３２ｂ・・・３２ｅの間に装着されている。
【００２２】
図２に緑化パネル２２の構造を示す。緑化パネル２２は、支持パネル３４の前面（発光パネル２４側が背面）に上下２つの貯水容器３６が設けられたものであり、それぞれの貯水容器３６には植栽容器３８が収納されている。支持パネル３４は矩形の板状体であり、上辺と下辺がそれぞれガイド３２ａの下溝４４とガイド３２ｂの上溝４６に嵌められている。緑化パネル２２は、下溝４４と上溝４６の間をスライドしながらガイド３２ａ、３２ｂに沿って水平方向に移動可能であり、ガイド３２ａ、３２ｂの端部から装着したり取り外したりすることができる。
【００２３】
貯水容器３６は、矩形の底壁４８と側壁５０と前壁５２および後壁５４で構成されている。側壁５０と前壁５２は底壁４８に対して直交する関係にあるが、後壁５４は底壁４８から離れるに従って前壁５２から離れる方向に後傾している。貯水容器３６は後壁５４が留め具５６によって支持パネル３４に固定されているため、底壁４８が下傾するともに前壁５２が前傾している。
【００２４】
底壁４８には排水孔５８が設けられている。排水孔５８は、貯水容器３６の貯水量を一定量に維持するためのものであり、後壁５４寄りの位置であって前壁５２の上端の縁より低い位置に、一方の側壁５０から他方の側壁５０にかけて連続する長孔状に設けられている。貯水容器３６に供給された水は排水孔５８の位置までは貯水されるが、それを超えると排水孔５８から排出される。上段の貯水容器３６から排出された水は下段の貯水容器３６に供給され、ここでも一定量に達するとさらに下段の貯水容器３６に供給される。従って、流水タンク２６から最上段の貯水容器３６に水を供給してやれば、その下方に配された７段の貯水容器３６には自動的に給水が行われる。最下段の貯水容器３６から排出された水は給水タンク２０に回収され、流水路２８を経由して再び流水タンク２６に移送される。緑化ディスプレイ装置１０ではこのような給水サイクルが構築されている。
【００２５】
底壁４８には排水孔５８に沿って導水パネル６０が取り付けられている。導水パネル６０は、２枚のパネルを適宜の距離をおいて平行に配したものであり、２枚のパネルの間に形成された導水空間６２が排水孔５８と直線状に連続している。導水パネル６０は底壁４８と同程度の幅を有し、先端が下段の貯水容器３６の直上に至る程度の長さを有している。排水孔５８から排出された水は導水パネル６０によって下段の貯水容器３６まで導かれるため、途中でこぼれたりして屋内の床や周辺に置かれた家具などを濡らしたりすることはない。
【００２６】
植栽容器３８には前壁と底壁および側壁にそれぞれ通水孔６４、６６、６８が設けられている。これらの通水孔６４、６６、６８は、貯水容器３６の貯水水位ＷＬより下に位置するように設けられている。植栽容器３８は貯水容器３６の内壁面に設けられたスペーサ７０によって貯水容器３６の内壁面と直接接触しないように支えられているため、貯水容器３６に供給された水は通水孔６４、６６、６８を通って植栽容器３８内の植物３０に摂取される。植栽容器３８は貯水容器３６の前壁５０の前傾に合わせて前傾姿勢で収納されているため、植物３０は植栽容器３６の前壁より外側にはみ出し、重力の作用によって僅かに下向きの姿態となる。これに送風機１８から送られる風が当たると上下左右にランダムに揺れ、見る者の注意を引くとともに気持ちを和ませる効果が生まれる。
【００２７】
植栽容器３８内の土が通水孔６４、６６、６８から貯水容器３６に漏れ出すことが考えられるが、水より密度の高い土は貯水容器３６の底壁４８と前壁５２が連結する角部に溜まるので、排水孔５８を詰まらせる心配はない。また、植栽容器３８は貯水容器３６には固定されておらず、簡単に取り外すことができるため、植物３０の植え替えなどを容易に行うことができるだけでなく、予め別の品種の植物を植栽した植栽容器と簡単に交換することができる。
【００２８】
発光パネル２４についても、緑化パネル２２と同様に、ガイド３２ａ、３２ｂに設けられた下溝７２と上溝７４の間をスライドしながらガイド３２ａ、３２ｂに沿って水平方向に移動可能であり、ガイド３２ａ、３２ｂの端部から装着したり取り外したりすることができる。発光パネル２４は、内蔵された図示しない光源によってパネル全体が面発光し、前面に配された緑化パネル２２を照らし出すものである。さらには至近距離から光エネルギを供給することで、植物３０の光合成を促進させ、生長を助成するとともに発色性を向上させることができる。
【００２９】
緑化パネル２２および導水パネル６０は、透光性を有する素材、例えばアクリル板などで構成することができる。アクリル板は加工性が良く、透明度が高く、さらには耐久性にも優れるので、緑化ディスプレイ装置１０を安価に製作するのに適しており、また品質を長期間安定した状態に保つことができる。さらには高い透明度で植物３０をクリアに見せることができるとともに、宙に浮いているような演出効果も期待できるようになる。また導水パネル６０を水が上から下に流れるときの流水密度の濃淡によって発光パネル２４の光を様々な方向に屈折させ、揺らぎ感を演出することもできる。
【００３０】
緑化ディスプレイ装置１０は本発明の一つの実施の形態であり、本発明は他の形態として実施することも可能である。特に緑化パネル２２と発光パネル２４の枚数は天井の高さなどに応じて決めるべきものであり、ガイド３２ａ、３２ｂ・・・の数はこれに応じて自ずと決まるものである。また一枚あたりの緑化パネル２２に設ける貯水容器３６は１つでもよく、３つ以上であってもよい。また貯水容器３６の底壁４８に設ける排水孔は、排水孔５８のように連続した長孔状のものに変えて非連続の孔を適宜の間隔で直線状に配したものとすることができる。さらに緑化ディスプレイ装置１０を簡略化したものとして、発光パネル２４や導水パネル６０、送風機１８を省略することもできる。緑化ディスプレイ装置１０を屋内の壁面などに取り付ける場合には支柱１２も省略可能である。この場合は壁面にガイド３２ａ、３２ｂ・・・を直接取り付ければよい。
【符号の説明】
【００３１】
１０  緑化ディスプレイ装置
２２  緑化パネル
２４  発光パネル
３０  植物
３４  支持パネル
３６  貯水容器
３８  植栽容器
４８  底壁
５２  前壁
５４  後壁
５８  排水孔
６０  導水パネル
６２  導水空間
６４、６６、６８  通水孔
【図１】
2012039969.tif 000003
【図２】
2012039969.tif 000004